(57)【要約】【課題】  従来のマスクは装着が煩わしく、装着後、頭顔部の動作拘束、視界拘束によりかえって安全作業を阻害するという構造上の欠陥を有すると共に、顔面上の多大な面積を占有することにより、使用者の羞恥心を煽り装着を忌避させており、アレルギー性疾患、ばい菌及びウイルス性疾患等の病的疾患の蔓延を許し公衆衛生を阻害している。【解決手段】  容形が鼻腔内において内壁に倣い、鼻腔入口から深部方向へ導通された管路をもつ円筒管形状を成しており、該円筒管形状内の管路部に配置された限外濾過層、活性炭層、含浸層からなる濾過フィルターを有する空気濾過器を鼻腔内に挿入留置することを特徴とする。【選択図】    図１
2006212370.tif 000002
【特許請求の範囲】
【請求項１】
空気濾過器の濾過フィルターが０．０１μｍ及至５００μｍの限外濾過器であり、鼻腔内に挿入留置する呼吸用空気濾過器。
【請求項２】
呼吸用空気濾過器の容形が鼻腔内において内壁に倣い、シリコン、ゴム、天然ゴム、不織布、紙、フッ素樹脂素材から形成され鼻腔入口から深部方向へ導通された管路をもつ円筒管形状を成しており、該円筒管形状内の管路部に濾過フィルターを配置することを特徴とする請求項１記載の呼吸用空気濾過器。
【請求項３】
円筒管形状内の管路部に配置された濾過フィルターが活性炭層と限外濾過層を組合せた構造を持つ請求項２記載の呼吸用空気濾過器。
【請求項４】
円筒管形状内の管路部に配置された濾過フィルターがフローラル、シプレー、オリエンタル、グリーン、オゾン、グルマン基調の香りからなる香料成分を含浸させた香料含浸層と限外濾過層を組合せた構造を持つ請求項２記載の呼吸用空気濾過器。
【請求項５】
円筒管形状内の管路部に配置された濾過フィルターがマレイン酸クロルフェニラミン、マレイン酸カルピノキサミン、塩酸プソイドエフェドリン、グリチルリチン酸、グリチルリチン酸二カリウム、クロモグリク酸ナトリウム、イプシロン−アミノカプロン酸、無水カフェインを含浸させた薬品含浸層と限外濾過層を組合せた構造を持つ請求項２記載の呼吸用空気濾過器。
【請求項６】
鼻腔内に挿入留置する円筒管形状を成した容形が、両鼻腔同時に挿入留置可能に鼻腔入口部で二股に連結された左右対称形状を成したことを特徴とする請求項２記載の呼吸用空気濾過器。
【請求項７】
円筒管形状内の管路部に配置された濾過フィルターが外気流入側から限外濾過層、活性炭層、香料、薬品含浸層の順で配置された構造を持つ請求項６記載の呼吸用空気濾過器。
【発明の詳細な説明】
【技術分野】
【０００１】  本発明は、粉塵作業の防塵、アレルギー予防や風邪予防の目的で使用される身体防護具の改良に関するものである。
【背景技術】
【０００２】    粉塵作業の防塵、アレルギー予防や風邪予防の目的で使用される身体防護具は一般的に各種の簡易マスク、防塵マスクといわれるものが知られており、特に最近では、花粉症、ＳＡＲＳ（新型肺炎：重症急性呼吸器症候群）、インフルエンザ予防などの防疫面での利用が注目されている。【０００３】  簡易マスクの基本的構造としては、口と鼻を覆う前顔面に方形である布、不織布、紙などの繊維素材のものが多く、口、鼻前面に配置された濾布の限外濾過機能と湿度により塵埃、花粉などの呼吸器への流入を防ぐものである。【０００４】  簡易マスクと防塵マスクの違いは、暗に外見、材質、構造、価格などで安易に分類されがちであるが、防塵マスクは、空気中に浮遊する粒子状物質の吸入により生じる、じん、肺等の疾病を予防するために使用されるものであり、その適切な使用等を図るため、労働安全衛生法（施工令第１４条の２）の規格に基づき材質、構造、性能を合格したものをいう。
【発明の開示】
【発明が解決しようとする課題】
【０００５】  しかしながら、これらマスクは装着が煩わしく、装着後、頭顔部の動作拘束、視界拘束によりかえって安全作業を阻害するという構造上の欠陥を有している。【０００６】  防疫を目的として使用されるマスクは、顔面上の多大な面積を占有することにより、使用者の羞恥心を煽ることになりプライバシー保護の精神が全く欠如した産物となるとともに、装着を忌避させるこのような理由から、アレルギー性疾患、ばい菌及びウイルス性疾患等の病的疾患の蔓延を許す結果ともなり公衆衛生を阻害するものである。【０００７】  マスクは顔面形状に倣いきれず、呼気が通気抵抗の大きい濾過面となるマスク面を通過せず鼻根から漏れることにより未濾過空気を吸入してしまう危険が大きく呼吸用空気濾過器としての大きな問題点を有している。【０００８】  従来のマスクは花粉症等のアレルギー症状の原因となるアレルゲンに対し空気濾過を行うのみの単機能であり、体内へのアレルゲン接触界面である鼻腔内面に能動的に加療を加えることができず、受動的な防衛施策でしかない。【０００９】  濾過空気は限外濾過フィルターを通過したものであるが、フィルターの限外性能より小さな粒子臭やガス臭、並びにフィルターの素材臭が濾過空気に混入された状態であり、装着中において連続してこれら臭気を吸入せざるを得ない為、精神的な苦痛を強要するものである。
【課題を解決するための手段】
【００１０】  本発明に係る呼吸用空気濾過器は、上記のような従来における問題点を解消することを目的として開発されたものであり、課題を解決するための具体的な手段として、空気濾過器の濾過フィルターが０．０１μｍ及至５００μｍの限外濾過フィルターであり、鼻腔内に挿入留置することを特徴とする呼吸用空気濾過器。【００１１】  前記呼吸用空気濾過器の容形が鼻腔内において内壁に倣い、シリコン、ゴム、天然ゴム、不織布、紙、フッ素樹脂素材から形成され鼻腔入口から深部方向へ導通された管路をもつ円筒管形状を成しており、該円筒管形状内の管路部に濾過フィルターを配置することを特徴とする。【００１２】  前記限外濾過フィルターが、活性炭、活性炭素繊維あるいはその他素材からなる限外濾過フィルターと活性炭、活性炭素繊維を組合せた構造を持ち、鼻腔内に挿入留置する円筒管形状を成した容形が、両鼻腔同時に挿入留置可能に鼻腔入口部で二股に連結された左右対称形状を成したことを特徴とする。【００１３】  円筒管形状内の管路部に配置された限外濾過フィルターが外気流入側から限外濾過層、活性炭層、香料含浸層の順で配置された構造を持ち、フローラル、シプレー、オリエンタル、グリーン、オゾン、グルマン基調の香りからなる香料成分を含浸させた香料含浸層と限外濾過層を組合せた構造を持つことを特徴とする。【００１４】  円筒管形状内の管路部に配置された限外濾過フィルターがマレイン酸クロルフェニラミン、マレイン酸カルピノキサミン、塩酸プソイドエフェドリン、グリチルリチン酸、グリチルリチン酸二カリウム、クロモグリク酸ナトリウム、イプシロン・アミノカプロン酸、無水カフェインを含浸させた薬品含浸層と限外濾過層を組合せた構造を持つことを特徴とする呼吸用空気濾過器。
【発明の効果】
【００１５】  本発明では呼吸用空気濾過器として鼻腔内に挿入留置することが出来、マスクのような装着の煩わしさがなく、装着後の動作拘束、視界拘束が全く無い安全な作業環境を提供することができる。【００１６】  マスクのように顔面上の多大な面積を占有されることが全く無く、装着者を現認することは困難であり、使用者のプライバシーの保全を図れると共に、アレルギー性疾患、ばい菌及びウイルス性疾患等の病的疾患の蔓延を抑制でき公衆衛生上極めて有益である。【００１７】  また鼻腔内に濾過器を挿入留置できることから簡易マスク等の従来の呼吸用空気濾過器のような鼻根からの流入空気の漏れによる未濾過空気を吸入してしまう危険がなく、信頼性の高い安全な呼吸用空気を得ることができる。【００１８】  呼吸用空気の浄化機能に加え、アレルゲン接触界面である鼻腔内に挿入留置して使用するため所望する薬品を濾過空気に混入したり、鼻腔内面に薬品を塗布せしめろことが可能となり薬品処方による加療を同時に行うことができる。【００１９】  限外濾過、活性炭、香料フィルターを空気が通過することにより均一の浄化性能に加えて、フローラルやシプレー系等の香り付き空気を吸入することができ、癒しや清涼感、安堵感といった精神的充足を得ることができる。
【発明を実施するための最良の形態】
【００２０】  本発明に係る呼吸用空気濾過器の構造を、図１に示す三面図により説明すると、図１（ａ）は該濾過器の上面図、図１（ｂ）は正面図、図１（ｃ）は側面図であり、１は鼻腔内に挿入留置する容形であり、この容形１は鼻腔に沿って胴体が挿入され天面８と底面９が開放された樽型の円筒管形状を成しており、開放された底面９から天面８に向けて通気するように導通されており内部に濾過フィルター部２が配置されている。【００２１】  呼吸用空気濾過器の容形１は鼻腔内径に倣った大きさに成形でき、または予め数種類の鼻腔内径にあわせた異径の円筒管形状を成形することができ、鼻腔内径の大小に係わらず装着隙間がなく濾過漏れのない呼吸用空気濾過器の容形１を用意することができる。【００２２】  このとき容形１は柔軟性、アレルギー性、耐久性、安定性等の要求仕様に対してシリコン、ゴム、天然ゴム、フッ素樹脂等の機能性樹脂素材を用いることが可能で、製造原価の低廉化要求やあるいは香料や薬品などの溶出を意図的に図る場合においては不織布、紙等の浸透性素材を好適に用いることも可能である。【００２３】  容形１内に配置される濾過フィルター部２は０．０１μｍ及至５００μｍの限外濾過性能を有する構造であり、化学合成繊維、天然繊維、活性炭素繊維、金属繊維、活性炭、中空子素材などの素材、あるいはこれら素材を選択的に組合せて使用することができる。【００２４】  図１に示す容形１は両鼻腔同時に挿入留置することが可能なように、鼻腔入口部６で二股連結構造７により、樽型の円筒管形状が連結された構造になっており、鼻腔への挿入と取外しを容易に行うことができる。【００２５】  図２は本発明の呼吸用空気濾過器の構造を示す図１中のイ−イ断面図であり、外気流入側である底面９、つまり鼻腔入口部６から鼻の奥である深部方向へ向けて限外濾過層５、活性炭層４、含浸層３が配置された濾過フィルター部２を説明する図面である。【００２６】  濾過フィルター部２内の外気の濾過順序は、始めに限外濾過層５により塵埃を濾し除き、続いて活性炭層４により脱臭を行い空気の浄化を整え、続いて含浸層３により香料あるいは薬品を濾過空気に混入せしめることにより、香料、薬品の効果効能を得ることができる。【００２７】  含浸層３に含浸する香料としては、フローラル、シプレー、オリエンタル、グリーン、オゾン、グルマンを基調とした香りを単独で、あるいは選択的に各種香料を組合せて使用することが可能である。【００２８】  香りの基調とはフローラルはジャスミン、ローズ、ラベンダー等の花の香り、シプレーは苔の香り、オリエンタルはアンバー、ムスク、バルサムなどの中近東のスパイスや動物、香木の香り、グリーンは森林、若草、牧草の香り、オゾンは小川や潮風などの香り、グルマンはピーチやバニラ等飲食物風味の香りに代表される香りの系統をいう。【００２９】  含浸層３に含浸する薬品としては、マレイン酸クロルフェニラミン、マレイン酸カルピノキサミン、塩酸プソイドエフェドリン、グリチルリチン酸、グリチルリチン酸二カリウム、クロモグリク酸ナトリウム、イプシロン−アミノカプロン酸、無水カフェインを単独で、あるいは選択的に各種薬品を組合せて使用することが可能である。【００３０】  マレイン酸クロルフェニラミン、マレイン酸カルピノキサミンは抗ヒスタミン剤でありアレルギー症状等を引き起こすヒスタミンと拮抗し、鼻水、くしゃみを緩和し痒みを抑制するのに有効であり、塩酸プソイドエフェドリンは血管収縮、自律神経に働き鼻粘膜の充血、腫れを抑制し鼻づまりを改善し、グリチルリチン酸、グリチルリチン酸二カリウムは鼻粘膜の炎症を抑え、鼻づまり、鼻水等の鼻炎症状の緩和を助けると共に胃液分泌を抑制し消火器の潰瘍を治癒し、抗アレルギー性を高める抗炎症性を有しており免疫抑制活性、肝機能増強作用、解毒作用、ウイルスに対する低抗力を高める。【００３１】  クロモグリク酸ナトリウムはマスト細胞膜を安定化させることにより、ヒスタミン等のアレルギー誘発物質の放出を抑制することで抗アレルギー作用を示し、種々のアレルゲンに暴露された時に起こる即時および遅延型喘息反応の何れにも有効であり、イプシロン−アミノカプロン酸はアレルギーや炎症の原因物質の産生を抑制し炎症や痒みがあるときの洗浄に適しており、無水カフェインは鼻炎に伴う頭重感を和らげる効能がある。【００３２】  以上濾過フィルター部２が外気流入側である鼻腔入口部６から鼻の深部方向へ向けて限外濾過層５、活性炭層４、含浸層３が配置された構造について説明してきたが、香料や薬品を限外濾過層の素材自体に含浸することもあるいは容形１へ含浸することも充分可能であり、素材、香料、薬品夫々の効果効能の期待により限外濾過層、活性炭層、含浸層について層順位の入れ替えや省略あるいは複数層構造へ選択的に組合せて配置することができる。
【産業上の利用可能性】
【００３３】  本発明は、粉塵、噴霧作業における防塵、アレルギー性疾患、ばい菌及びウイルス性疾患の疾病予防のみならず、点鼻薬、吸入処方薬の加療器具の用途にも適用できる。
【図面の簡単な説明】
【００３４】
【図１】本発明に係る呼吸用空気濾過器を実施するための構造を示す三面図である。
【図２】本発明の呼吸用空気濾過器の構造を示す三面図である図１中のイ−イ断面図である。
【図３】本発明の呼吸用空気濾過器を鼻腔内に挿入留置した状態を説明する人体鼻部側方断面図である。
【符号の説明】
【００３５】１：容形
２：濾過フィルター部
３：含浸層
４：活性炭層
５：限外濾過層
６：鼻腔入口部
７：二股連結構造
８：天面
９：底面
【図１】
2006212370.tif 000003
【図２】
2006212370.tif 000004
【図３】
2006212370.tif 000005